(57)【要約】【課題】複数台の液晶プロジェクタでマルチ投影する場合において、それぞれの液晶プロジェクタが投影する投影光が重なりあわない投影装置を提供することを目的とする。【解決手段】投影装置であって、該投影装置が表示可能な有効画像より大きい表示領域を制御可能なパネルと、外部入力から分割表示における該投影装置が表示する分割領域情報を検知する検知部と、該パネルが制御する表示領域内における有効画像の表示位置を決定するパネル表示制御部と、を有し、該検知部が検知する分割領域情報に応じて、該パネル表示制御部が有効画像の表示位置を決定することを特徴とする。【選択図】図５
2016191756.tif 000002
【特許請求の範囲】
【請求項１】
投影装置であって
該投影装置が表示可能な有効画像より大きい表示領域を制御可能なパネルと、
外部入力から分割表示における該投影装置が表示する分割領域情報を検知する検知部と、
該パネルが制御する表示領域内における有効画像の表示位置を決定するパネル表示制御部と、を有し、
該検知部が検知する分割領域情報に応じて、該パネル表示制御部が有効画像の表示位置を決定することを特徴とする投影装置。
【請求項２】
該投影装置が投影する投影画像のゆがみを補正するための歪み補正部を更に有し、該歪み補正部は、該検知部の検知結果に応じて歪み補正することを特徴とする請求項１に記載の投影装置。
【請求項３】
検知部が検知する分割領域情報とは、該投影装置を複数台用いて、１画面を形成するマルチ投影システムにおける該複数台の投影装置の台数と配置に関する情報を含み、さらに、該複数台の投影装置の内、自機の配置に関する情報を含むことを特徴とする請求項１に記載の投影装置。
【請求項４】
該検知部が該分割領域情報を検知するための該外部入力は、該投影装置に対する手動操作による入力であることを特徴とする請求項１又は請求項２に記載の投影装置。
【発明の詳細な説明】
【技術分野】
【０００１】
本発明は、液晶投影装置に関する。
【背景技術】
【０００２】
従来、液晶プロジェクタに使用される液晶パネルは、スクリーン上の投影画像の位置調整やレジストレーションの補正のため、液晶パネルに描画する画像の位置をシフトする機能を備えているものが一般に知られている。そのため液晶パネルは、液晶プロジェクタが表示する画像の最大解像度を越える画像の描画可能画素を有している。
【０００３】
本機能について、液晶プロジェクタのパネルに入力される画像のタイミングを示した図３を用いて説明する。駆動領域２０は、パネルの画素が形成されている範囲であり画像を描画可能な範囲である。有効画像領域３０は、駆動領域２０中で実際に画像が表示される領域である。アスペクト比４：３のパネルに１６：９の画像を表示する際に一般的に付加される上下の黒帯等はこの範囲には含まれない。駆動領域２０より外の非駆動領域１０は、パネル画素は形成されない。
【０００４】
投影対象となる領域は駆動領域２０であり、この駆動領域２０内の有効画像領域３０の位置を変えてパネルに画像を描画することで、投影画像の位置調整やレジストレーションの補正を行うことができる。非駆動領域１０は、投影対象ではない。
【０００５】
一方、複数台の液晶プロジェクタの投影画像を並べて１枚の画面として使用するマルチ投影が知られている。図１０に示すように、マルチ投影を行う際、それぞれの液晶プロジェクタが投影する投影光が重なった状態で使用する場合がある。図１０に示す投影領域Ａは、液晶プロジェクタが輝度γの投影光を投影面に投影している。しかし別の液晶プロジェクタが投影する投影領域Ｂの一部が重複しているため、この重複領域の輝度は２台のプロジェクタの輝度の合計（γ‘）となる。つまり、投影面上において投影光が重なった領域と重なっていない領域とで、投影光の輝度差が発生する問題がある。特許文献１によれば、それぞれの領域毎で輝度にオフセットを設けることで輝度差を均等にし、画面全体の一体感を保つようにしている。
【先行技術文献】
【特許文献】
【０００６】
【特許文献１】特開２０１２−２３４０７２号公報
【発明の概要】
【発明が解決しようとする課題】
【０００７】
しかしながら、特許文献１の技術では、それぞれの液晶プロジェクタが投影する投影光同士が重なって持ちあがった輝度γ‘に合わせて、重なっていない領域の輝度γをオフセットでγ’に近づくように持ち上げるため、コントラストが低下してしまう。つまり、それぞれの液晶プロジェクタが投影する投影光同士が重なる場合、投影画面内における輝度差が発生し、これを補正する場合、コントラストの低下が生じるという課題があった。
【０００８】
そこで、本発明は、複数台の液晶プロジェクタでマルチ投影する場合において、それぞれの液晶プロジェクタが投影する投影光が重なりあわない投影装置を提供することを目的とする。
【課題を解決するための手段】
【０００９】
上記の目的を達成するために、本発明の投影装置は、
該投影装置が表示可能な有効画像より大きい表示領域を制御可能なパネルと、
分割表示における該投影装置が表示する分割領域情報を検知する検知部と、
該パネルが制御する表示領域内における有効画像の表示位置を決定するパネル表示制御部と、を有し、
該検知部が検知する分割領域情報に応じて、該パネル表示制御部が有効画像の表示位置を決定することを特徴とする。
【発明の効果】
【００１０】
本発明の投影装置によれば、マルチ投影設定に応じて、パネル領域内に描画する映像信号の位置を制御し、投影面上でそれぞれの液晶プロジェクタが投影する投影画像同士を隣接させた場合でも、投影光同士が重なりあわず、画質劣化の発生を抑制することが可能になる。
【図面の簡単な説明】
【００１１】
【図１】本発明の液晶プロジェクタ１００の全体の構成を示す図である。
【図２】本発明の液晶プロジェクタ１００の基本動作の制御を説明するためのフローチャートである。
【図３】本発明の液晶プロジェクタ１００の液晶素子１５１に入力される画像のタイミングを表した図である。
【図４】本発明の液晶プロジェクタ１００の液晶素子１５１に対する画像の表示位置制御の実現方法を示す図である。
【図５】本発明の液晶プロジェクタ１００の特徴となる部分の構成を示す図である。
【図６】実施例１における液晶素子１５１に入力される映像信号と投影画像の関係を示す図である。
【図７】実施例１における動作の特徴を示すフローチャートである。
【図８】実施例２における液晶素子１５１に入力される映像信号と投影画像の関係を示す図である。
【図９】実施例２における動作の特徴を示すフローチャートである。
【図１０】本発明の課題を示す図である。
【図１１】液晶プロジェクタ１００と液晶プロジェクタ２００の２台でマルチ投影する際の構成を示す図である。
【発明を実施するための形態】
【００１２】
以下、図面を参照して本発明の実施例を詳細に説明するが、この発明は以下の実施の形態に限定さるものではない。なお、以下の実施の形態は特許請求の範囲に係る発明を限定するものでなく、また実施の形態で説明されている特徴の組み合わせの全てが発明の解決手段に必須のものとは限らない。
【００１３】
なお、本実施例において説明される各機能ブロックは必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。
【実施例１】
【００１４】
駆動領域全面を補正範囲とする場合
本実施例では、液晶プロジェクタについて説明する。液晶プロジェクタには、単板式、３板式などが一般に知られているが、どちらの方式であっても良い。本実施例の液晶プロジェクタは、表示するべき画像に応じて、液晶素子の光の透過率を制御して、液晶素子を透過した光源からの光を投影面に投影することで、画像をユーザに提示する。
【００１５】
以下、このような液晶プロジェクタについて説明する。
【００１６】
＜全体構成＞
まず、図１を用いて、本実施例の液晶プロジェクタの全体構成を説明する。図１は本実施例の液晶プロジェクタ１００の全体の構成を示す図である。
【００１７】
本実施例の液晶プロジェクタ１００は、ＣＰＵ１１０、ＲＯＭ１１１、ＲＡＭ１１２、操作部１１３、画像入力部１３０、画像処理部１４０を有する。また、液晶プロジェクタ１００は、さらに、液晶制御部１５０、液晶素子１５１Ｒ、１５１Ｇ、１５１Ｂ、光源制御部１６０、光源１６１、色分離部１６２、色合成部１６３、光学系制御部１７０、投影光学系１７１を有する。また、液晶プロジェクタ１００は、さらに、記録再生部１９１、記録媒体１９２、通信部１９３、表示制御部１９５、表示部１９６を有していてもよい。
【００１８】
ＣＰＵ１１０は、液晶プロジェクタ１００の各動作ブロックを制御するものであり、ＲＯＭ１１１は、ＣＵＰ１１０の処理手順を記述した制御プログラムを記憶するためのものであり、ＲＡＭ１１２は、ワークメモリとして一時的に制御プログラムやデータを格納するものである。また、ＣＰＵ１１０は、記録再生部１９１により記録媒体１９２から再生された静止画データや動画データを一時的に記憶し、ＲＯＭ１１１に記憶されたプログラムを用いて、それぞれの画像や映像を再生したりすることもできる。また、ＣＰＵ１１０は、通信部１９３より受信した静止画データや動画データを一時的に記憶し、ＲＯＭ１１１に記憶されたプログラムを用いて、それぞれの画像や映像を再生したりすることもできる。
【００１９】
また、操作部１１３は、ユーザの指示を受け付け、ＣＰＵ１１０に指示信号を送信するものであり、例えば、スイッチやダイヤル、表示部１９６上に設けられたタッチパネルなどからなる。また、操作部１１３は、例えば、リモコンからの信号を受信する信号受信部（赤外線受信部など）で、受信した信号に基づいて所定の指示信号をＣＰＵ１１０に送信するものであってもよい。また、ＣＰＵ１１０は、操作部１１３や、通信部１９３から入力された制御信号を受信して、液晶プロジェクタ１００の各動作ブロックを制御する。
【００２０】
画像入力部１３０は、外部装置から映像信号を受信するものであり、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）、ＤｉｓｐｌａｙＰｏｒｔ端子等を含む。また、アナログ映像信号を受信した場合には、受信したアナログ映像信号をデジタル映像信号に変換する。そして、受信した映像信号を、画像処理部１４０に送信する。ここで、外部装置は、映像信号を出力できるものであれば、パーソナルコンピュータ、カメラ、携帯電話、スマートフォン、ハードディスクレコーダ、ゲーム機など、どのようなものであってもよい。
【００２１】
画像処理部１４０は、映像入力部１３０から受信した映像信号にフレーム数、画素数、画像形状などの変更処理を施して、液晶制御部１５０に送信するものであり、例えば画像処理用のマイクロプロセッサからなる。また、画像処理部１４０は、専用のマイクロプロセッサである必要はなく、例えば、ＲＯＭ１１１に記憶されたプログラムによって、ＣＰＵ１１０が画像処理部１４０と同様の処理を実行しても良い。画像処理部１４０は、フレーム間引き処理、フレーム補間処理、解像度変換処理、歪み補正処理（キーストン補正処理）といった機能を実行することが可能である。また、画像処理部１４０は、映像入力部１３０から受信した映像信号以外にも、ＣＰＵ１１０によって再生された画像や映像に対して前述の変更処理を施すこともできる。
【００２２】
液晶制御部１５０は、画像処理部１４０で処理の施された映像信号に基づいて、液晶素子１５１Ｒ、１５１Ｇ、１５１Ｂの画素の液晶に印加する電圧を制御して、液晶素子１５１Ｒ、１５１Ｇ、１５１Ｂの透過率を調整するものであり、制御用のマイクロプロセッサからなる。また、液晶制御部１５０は、専用のマイクロプロセッサである必要はなく、例えば、ＲＯＭ１１１に記憶されたプログラムによって、ＣＰＵ１１０が液晶制御部１５０と同様の処理を実行しても良い。たとえば、画像処理部１４０に映像信号が入力されている場合、液晶制御部１５０は、画像処理部１４０から１フレームの画像を受信する度に、画像に対応する透過率となるように、液晶素子１５１Ｒ、１５１Ｇ、１５１Ｂを制御する。
【００２３】
液晶素子１５１Ｒは、赤色に対応する液晶素子であって、光源１６１から出力された光のうち、色分離部１６２で赤色（Ｒ）、緑色（Ｇ）、青色（Ｂ）に分離された光のうち、赤色の光の透過率を調整するためのものである。液晶素子１５１Ｇは、緑色に対応する液晶素子であって、光源１６１から出力された光のうち、色分離部１６２で赤色（Ｒ）、緑色（Ｇ）、青色（Ｂ）に分離された光のうち、緑色の光の透過率を調整するためのものである。液晶素子１５１Ｂは、青色に対応する液晶素子であって、光源１６１から出力された光のうち、色分離部１６２で赤色（Ｒ）、緑色（Ｇ）、青色（Ｂ）に分離された光のうち、青色の光の透過率を調整するためのものである。
【００２４】
この液晶制御部１５０による液晶素子１５１Ｒ、１５１Ｇ、１５１Ｂの具体的な制御動作や液晶素子１５１Ｒ、１５１Ｇ、１５１Ｂの構成については、後述する。
【００２５】
光源制御部１６０は、光源１６１のオン／オフを制御や光量の制御をするものであり、制御用のマイクロプロセッサからなる。また、光源制御部１６０は、専用のマイクロプロセッサである必要はなく、例えば、ＲＯＭ１１１に記憶されたプログラムによって、ＣＰＵ１１０が光源制御部１６０と同様の処理を実行しても良い。
【００２６】
また、光源１６１は、不図示の投影面に画像を投影するための光を出力するものであり、例えば、ハロゲンランプ、キセノンランプ、高圧水銀ランプなどであっても良い。また、色分離部１６２は、光源１６１から出力された光を、赤色（Ｒ）、緑色（Ｇ）、青色（Ｂ）に分離するものであり、例えば、ダイクロイックミラーやプリズムなどからなる。なお、光源１６１として、各色に対応するＬＥＤ等を使用する場合には、色分離部１６２は不要である。
【００２７】
また、色合成部１６３は、液晶素子１５１Ｒ、１５１Ｇ、１５１Ｂを透過した赤色（Ｒ）、緑色（Ｇ）、青色（Ｂ）の光を合成するものであり、例えば、ダイクロイックミラーやプリズムなどからなる。そして、色合成部１６３により赤色（Ｒ）、緑色（Ｇ）、青色（Ｂ）の成分を合成した光は、投影光学系１７１に送られる。このとき、液晶素子１５１Ｒ、１５１Ｇ、１５１Ｂは、画像処理部１４０から入力された画像に対応する光の透過率となるように、液晶制御部１５０により制御されている。そのため、色合成部１６３により合成された光は、投影光学系１７１により投影面に投影されると、画像処理部１４０により入力された画像に対応する画像が投影面上に表示されることになる。
【００２８】
光学系制御部１７０は、投影光学系１７１を制御するものであり、制御用のマイクロプロセッサからなる。また、光学系制御部１７０は、専用のマイクロプロセッサである必要はなく、例えば、ＲＯＭ１１１に記憶されたプログラムによって、ＣＰＵ１１０が光学系制御部１７０と同様の処理を実行しても良い。また、投影光学系１７１は、色合成部１６３から出力された合成光を投影面に投影するためのものであり、複数のレンズ、レンズ駆動用のアクチュエータからなり、レンズをアクチュエータにより駆動することで、投影画像の拡大、縮小、焦点調整、レンズのシフト動作による表示位置の調整などを行うことができる。
【００２９】
記録再生部１９１は、記録媒体１９２から静止画データや動画データを再生するものである。また、通信部１９３より受信した静止画データや動画データを記録媒体１９２に記録しても良い。記録再生部１９１は、例えば、記録媒体１９２と電気的に接続するインタフェースや記録媒体１９２と通信するためのマイクロプロセッサからなる。また、記録再生部１９１には、専用のマイクロプロセッサを含む必要はなく、例えば、ＲＯＭ１１１に記憶されたプログラムによって、ＣＰＵ１１０が記録再生部１９１と同様の処理を実行しても良い。また、記録媒体１９２は、静止画データや動画データ、その他、本実施例の液晶プロジェクタに必要な制御データなどを記録することができるものであり、磁気ディスク、光学式ディスク、半導体メモリなどのあらゆる方式の記録媒体であってよく、着脱可能な記録媒体であっても、内蔵型の記録媒体であってもよい。
【００３０】
通信部１９３は、外部機器からの制御信号や静止画データ、動画データなどを受信するためのものであり、例えば、無線ＬＡＮ、有線ＬＡＮ、ＵＳＢ、Ｂｌｕｅｔｏｏｔｈ（登録商標）などであってよく、通信方式を特に限定するものではない。また、画像入力部１３０の端子が、例えばＨＤＭＩ（登録商標）端子であれば、その端子を介してＣＥＣ通信を行うものであっても良い。ここで、外部装置は、液晶プロジェクタ１００と通信を行うことができるものであれば、パーソナルコンピュータ、カメラ、携帯電話、スマートフォン、ハードディスクレコーダ、ゲーム機、リモコンなど、どのようなものであってもよい。
【００３１】
表示制御部１９５は、液晶プロジェクタ１００に備えられた表示部１９６に液晶プロジェクタ１００を操作するための操作画面やスイッチアイコン等の画像を表示させるための制御をするものであり、表示制御を行うマイクロプロセッサなどからなる。また、表示制御部１９５専用のマイクロプロセッサである必要はなく、例えば、ＲＯＭ１１１に記憶されたプログラムによって、ＣＰＵ１１０が表示制御部１９５と同様の処理を実行しても良い。また、表示部１９６は、液晶プロジェクタ１００を操作するための操作画面やスイッチアイコンを表示するものである。表示部１９６は、画像を表示できればどのようなものであっても良い。例えば、液晶ディスプレイ、ＣＲＴディスプレイ、有機ＥＬディスプレイ、ＬＥＤディスプレイであって良い。また、特定のボタンをユーザに認識可能に掲示するために、各ボタンに対応するＬＥＤ等を発光させるものであってもよい。
【００３２】
なお、本実施例の画像処理部１４０、液晶制御部１５０、光源制御部１６０、光学系制御部１７０、記録再生部１９１、表示制御部１９５は、これらの各ブロックと同様の処理を行うことのできる単数または複数のマイクロプロセッサあっても良い。または、例えば、ＲＯＭ１１１に記憶されたプログラムによって、ＣＰＵ１１０が各ブロックと同様の処理を実行しても良い。
【００３３】
＜基本動作＞
次に、図１、図２を用いて、本実施例の液晶プロジェクタ１００の基本動作を説明する。
【００３４】
図２は本実施例の液晶プロジェクタ１００の基本動作の制御を説明するためのフロー図である。図２の動作は、基本的にＣＰＵ１１０が、ＲＯＭ１１１に記憶されたプログラムに基づいて、各機能ブロックを制御することにより実行されるものである。図２のフロー図は、操作部１１３や不図示のリモコンによりユーザが液晶プロジェクタ１００の電源のオンを指示した時点をスタートとしている。
【００３５】
操作部１１３や不図示のリモコンによりユーザが液晶プロジェクタ１００の電源のオンを指示すると、ＣＰＵ１１０は、不図示の電源部から液晶プロジェクタ１００の各部に不図示の電源回路から電源を供給が供給する。
【００３６】
次に、ＣＰＵ１１０は、ユーザによる操作部１１３やリモコンの操作により選択された表示モードを判定する（Ｓ２１０）。本実施例の液晶プロジェクタ１００の表示モードの一つは、画像入力部１３０より入力された映像を表示する「入力画像表示モード」である。また、本実施例の液晶プロジェクタ１００の表示モードの一つは、記録再生部１９１により記録媒体１９２から読み出された静止画データや動画データの画像や映像を表示する「ファイル再生表示モード」である。また、本実施例の液晶プロジェクタ１００の表示モードの一つは、通信部１９３から受信した静止画データや動画データの画像や映像を表示する「ファイル受信表示モード」である。なお、本実施例では、ユーザにより表示モードが選択される場合について説明するが、電源を投入した時点での表示モードは、前回終了時の表示モードになっていてもよく、また、前述のいずれかの表示モードをデフォルトの表示モードとしてもよい。その場合には、Ｓ２１０の処理は省略可能である。ここでは、Ｓ２１０で、「入力画像表示モード」が選択されたものとして説明する。
【００３７】
「入力画像表示モード」が選択されると、ＣＰＵ１１０は、画像入力部１３０から映像が入力されているか否かを判定する（Ｓ２２０）。入力されていない場合（Ｓ２２０でＮｏ）には、入力が検出されるまで待機し、入力されている場合（Ｓ２２０でＹｅｓ）には、制御部は、投影処理（Ｓ２３０）を実行する。
【００３８】
ＣＰＵ１１０は、投影処理として、画像入力部１３０より入力された映像を画像処理部１４０に送信し、画像処理部１４０に、映像の画素数、フレームレート、形状の変形を実行させ、処理の施された１画面分の画像を液晶制御部１５０に送信する。そして、ＣＰＵ１１０は、液晶制御部１５０に、受信した１画面分の画像の赤色（Ｒ）、緑色（Ｇ）、青色（Ｂ）の各色成分の階調レベルに応じた透過率となるように、液晶素子１５１Ｒ、１５１Ｇ、１５１Ｂの透過率を制御させる。そして、ＣＰＵ１１０は、光源制御部１６０に光源１６１からの光の出力を制御させる。色分離部１６２は、光源１６１から出力された光を、赤色（Ｒ）、緑色（Ｇ）、青色（Ｂ）に分離し、それぞれの光を、液晶素子１５１Ｒ、１５１Ｇ、１５１Ｂに供給する。液晶素子１５１Ｒ、１５１Ｇ、１５１Ｂに供給された、各色の光は、各液晶素子の画素毎に透過する光量が制限される。そして、液晶素子１５１Ｒ、１５１Ｇ、１５１Ｂを透過した赤色（Ｒ）、緑色（Ｇ）、青色（Ｂ）それぞれの光は、色合成部１６３に供給され再び合成される。そして、色合成部１６３で合成された光は、投影光学系１７１を介して、不図示の投影面に投影される。この投影処理は、画像を投影している間、１フレームの画像毎に順次、実行されている。
【００３９】
なお、このとき、ユーザにより投影光学系１７１の操作をする指示が指示部１１１から入力されると、ＣＰＵ１１０は、光学系制御部１７０に、投影画像の焦点を変更したり、光学系の拡大率を変更したりするように投影光学系１７１のアクチュエータを制御させる。
【００４０】
この表示処理実行中に、ＣＰＵ１１０は、ユーザにより表示モードを切り替える指示が指示部１１１から入力されたか否かを判定する（Ｓ２４０）。ここで、ユーザにより表示モードを切り替える指示が指示部１１１から入力されると（Ｓ２４０でＹｅｓ）、ＣＰＵ１１０は、再びＳ２１０に戻り、表示モードの判定を行う。このとき、ＣＰＵ１１０は、画像処理部１４０に、表示モードを選択させるためのメニュー画面をＯＳＤ画像として送信し、投影中の画像に対して、このＯＳＤ画面を重畳させるように画像処理部１４０を制御する。ユーザは、この投影されたＯＳＤ画面を見ながら、表示モードを選択するのである。
【００４１】
一方、表示処理実行中に、ユーザにより表示モードを切り替える指示が指示部１１１から入力されない場合は（Ｓ２４０でＮｏ）、ＣＰＵ１１０は、ユーザにより投影終了の指示が指示部１１１から入力されたか否かを判定する（Ｓ２５０）。ここで、ユーザにより投影終了の指示が指示部１１１から入力された場合には（Ｓ２５０でＹｅｓ）、ＣＰＵ１１０は、液晶プロジェクタ１００の各ブロックに対する電源供給を停止させ、画像投影を終了させる。一方、ユーザにより投影終了の指示が指示部１１１から入力された場合には（Ｓ２５０でＮｏ）、ＣＰＵ１１０は、Ｓ２２０へ戻り、以降、ユーザにより投影終了の指示が指示部１１１から入力されるまでの間Ｓ２２０からＳ２５０までの処理を繰り返す。
【００４２】
以上のように、本実施例の液晶プロジェクタ１００は、投影面に対して画像を投影する。
【００４３】
なお、「ファイル再生表示モード」では、ＣＰＵ１１０は、記録再生部１９１に、記録媒体１９２から静止画データや動画データのファイルリストや各ファイルのサムネイルデータを読み出させ、ＲＡＭ１１２に一時的に記憶する。そして、ＣＰＵ１１０は、ＲＯＭ１１１に記憶されたプログラムに基づいて、ＲＡＭ１１２に一時記憶されたファイルリストに基づく文字画像や各ファイルのサムネイルデータに基づく画像を生成し、画像処理部１４０に送信する。そして、ＣＰＵ１１０は、通常の投影処理（Ｓ２３０）と同様に、画像処理部１４０、液晶制御部１５０、投影制御部１６０を制御する。
【００４４】
次に、投影画面上において、記録媒体１９２に記録された静止画データや動画データにそれぞれ対応する文字や画像を選択する指示が指示部１１１を通して入力される。そうすると、ＣＰＵ１１０は、選択された静止画データや動画データを記録媒体１９２から読み出すように記録再生部１９１を制御する。そして、ＣＰＵ１１０は、読み出された静止画データや動画データをＲＡＭ１１２に一時的に記憶し、ＲＯＭ１１１記憶されたプログラムに基づいて、静止画データや動画データの画像や映像を再生する。
【００４５】
そして、ＣＰＵ１１０は、例えば再生した動画データの映像を順次、画像処理部１４０に送信し、通常の投影処理（Ｓ２３０）と同様に、画像処理部１４０、液晶制御部１５０、投影制御部１６０を制御する。また、静止画データを再生した場合には、再生した画像を画像処理部１４０に送信し、通常の投影処理（Ｓ２３０）と同様に、画像処理部１４０、液晶制御部１５０、投影制御部１６０を制御する。
【００４６】
また、「ファイル受信表示モード」では、ＣＰＵ１１０は、通信部１９３から受信した静止画データや動画データをＲＡＭ１１２に一時的に記憶し、ＲＯＭ１１１記憶されたプログラムに基づいて、静止画データや動画データの画像や映像を再生する。そして、ＣＰＵ１１０は、例えば再生した動画データの映像を順次、画像処理部１４０に送信し、通常の投影処理（Ｓ２３０）と同様に、画像処理部１４０、液晶制御部１５０、投影制御部１６０を制御する。また、静止画データを再生した場合には、再生した画像を画像処理部１４０に送信し、通常の投影処理（Ｓ２３０）と同様に、画像処理部１４０、液晶制御部１５０、投影制御部１６０を制御する。
【００４７】
次に本実施例の特徴的な構成・動作について図４、５、６、７、１１を用いて説明する。
【００４８】
図４は液晶素子１５１に描画される映像信号の描画位置の制御方法を示す図である。図５は液晶プロジェクタ１００の特徴となる部分の構成を示す図である。図６は液晶素子１５１に入力される映像信号と投影画像の関係を示す図である。図７は液晶プロジェクタ１００の動作の特徴を示すフローチャートである。図１１は液晶プロジェクタ１００と液晶プロジェクタ２００の２台でマルチ投影する際の構成を示す図である。
【００４９】
なお、本実施例では、図１１記載の液晶プロジェクタ１００の動きについて説明する。液晶プロジェクタ２００は、液晶プロジェクタ１００と同様の動きをするものとする。
まず、図４を用いて、液晶素子１５１に描画される映像信号の描画位置の制御方法を説明する。本図は、垂直方向の描画位置の制御を行っているが、水平方向に置いても同様に制御が可能である。
【００５０】
図４（ａ）および（ｂ）に記載した通り、有効画像領域３０は基準同期信号を基準に一定のタイミングで出力される。これに対し、液晶素子１５１の描画を開始する合図となる信号は、パネル描画開始信号である。このパネル描画開始信号を基準同期信号との位相をずらすことで、液晶素子１５１上に描画される映像信号の位置がずれる。これにより液晶素子１５１上で映像信号の描画位置を制御することが可能である。
【００５１】
次に、図５を用いて特徴となる構成を説明する。本図では、液晶素子１５１Ｒが接続される状態を示しているが、液晶素子１５１Ｇ，Ｂに関しても同様の接続形態となるため、以下では説明を割愛する。
【００５２】
画像処理部１４０は、入力される映像信号に対し所定の処理を施し、液晶駆動部１５４に出力する。この処理の際、必要に応じてＲＯＭ１１１から映像データ信号に対する補正処理に用いるための補正値の参照や、ＲＡＭ１１２に映像信号を一時記憶させる処理を行う。
液晶駆動部１５４は、画像処理部１４０より受ける映像信号に応じて、液晶素子１５１Ｒを駆動するための電気信号を液晶素子１５１Ｒに出力する。
【００５３】
同期信号生成部１５５は、映像信号の基準同期信号を生成し、画像処理部１４０とパネル描画開始信号生成部１５３へ出力する。
【００５４】
ＣＰＵ１１０は、操作部１１３や、通信部１９３から入力される制御信号に応じて、液晶素子１５１Ｒへの映像信号の描画位置を制御するための信号をパネル描画開始信号生成部１５３へ出力する。
【００５５】
パネル描画開始信号生成部１５３は、同期信号生成部１５５から受ける基準同期信号及び、ＣＰＵ１１０から受ける液晶素子１５１Ｒに描画される映像信号の描画位置の制御要求に応じて、所定の位相のパネル描画開始信号を生成する。生成したパネル描画開始信号は、液晶素子１５１Ｒに送られる。
【００５６】
液晶素子１５１Ｒは、パネル描画開始信号に応じて駆動を開始し、液晶駆動部１５４から受ける信号に応じて各画素の液晶を駆動する。
【００５７】
次に、図７のフローチャートを用いて、処理の流れを説明する。
【００５８】
Ｓ７０１ではＣＰＵ１１０が、操作部１１３または通信部１９３から液晶プロジェクタ１００の分割表示情報を検知する。ここで分割表示情報とは、マルチ投影設定における、マルチ投影の構成（プロジェクタの台数とその並び）と自プロジェクタが担当する表示領域とを含む情報である。図１１の液晶プロジェクタ１００の例では、台数は２台、並びは縦２×横１、担当は全体の下側であることが分かればよい。
【００５９】
Ｓ７０２ではＣＰＵ１１０が、Ｓ７０１で検知した分割表示情報に応じて、液晶素子１５１Ｒに描画される映像信号の描画位置の制御要求をパネル描画開始信号生成部１５３へ出力する。具体的には、液晶プロジェクタ１００が投影する駆動領域２０の内、Ｓ７０１で検知した液晶プロジェクタ１００が担当する表示領域と上下左右反対側の辺（図６の例では上辺）に有効画像領域３０が接するように描画を開始する要求を出す。
【００６０】
Ｓ７０３ではパネル描画開始信号生成部１５３が、ＣＰＵ１１０からの制御要求及び、同期信号生成部１５５からの基準同期信号に応じて所定の位相のパネル描画開始信号を液晶素子１５１Ｒへ出力する。
【００６１】
Ｓ７０４では液晶素子１５１Ｒが、パネル描画開始信号を基準に映像信号を描画する。
【００６２】
以上説明したように、本実施例１の液晶プロジェクタ１００によれば、ＣＰＵ１１０はマルチ投影に関する設定情報を検知し、これに応じて生成したパネル描画開始信号が、液晶素子１５１の駆動領域２０に対する有効画像領域３０の描画位置を決定している。
【００６３】
従来例では、図６（ｃ）−１に示すように、マルチ投影の設定に関わらず駆動領域２０に対する有効画像領域３０の描画位置が決まっていた。このため図６（ｃ）−２に示すように、マルチ投影を実施するためにそれぞれの液晶プロジェクタが投影する投影像の端同士を合わせた場合に、投影光重畳領域４０に示す領域と他の領域とで輝度差が発生してしまっていた。これを防ぐために本発明では図６（ｄ）−１に示すように、マルチ投影の設定を考慮して液晶素子１５１Ｒの駆動領域２０に対する有効画像領域３０の描画位置を決定している。このため、本実施例の液晶プロジェクタ１００は、マルチ投影時、それぞれの液晶プロジェクタが投影する投影像の端同士を合わせた場合であっても、投影光の重畳領域はなく、投影面における輝度差も発生しない（図６（ｄ）−２）。
【実施例２】
【００６４】
実施例２では、画像処理部１４０が歪み補正を行う場合について説明する。なお、実施例１と異なる部分について説明する。
【００６５】
まず、歪み補正について説明する。液晶プロジェクタは設置場所の制約から、スクリーンに対し正面に配置することはできない場合がある。この場合、液晶プロジェクタ本体とスクリーンとの相対的な傾きが原因で、スクリーン上には台形歪と呼ばれる幾何学歪が発生してしまう。この台形歪を信号処理で補正する台形補正機能を用いて歪み補正をしている。
【００６６】
以下は、図５、８、９を用いて、本実施例２の特徴となる構成と動作を説明する。図８は本実施例２における液晶素子１５１に入力される映像信号と投影画像の関係を示す図である。図９は実施例２における液晶プロジェクタ１００の動作の特徴を示すフローチャートである。
図５は液晶プロジェクタ１００の特徴となる部分の構成を示す図である。詳細については、実施例１で説明しているのでここでは説明を割愛する。
【００６７】
まず、図９のフロー図を用いて、処理の流れを説明する。
【００６８】
Ｓ９０１〜Ｓ９０４における各部の動作は、Ｓ７０１〜Ｓ７０４と同様であるため、ここでは説明を割愛する。
【００６９】
Ｓ９０５ではＣＰＵ１１０がＳ９０１で検知した分割表示情報に応じて、画像処理部１４０は歪み補正の制御を行う。歪み補正後の有効画像領域３０内には、映像信号のない領域ができてしまっている（図８（ｅ）−１）。このため、画像処理部１４０は歪み補正後の画像を、液晶プロジェクタ１００が投影する駆動領域２０が他の液晶プロジェクタ２００が投影する駆動領域２０と接する方の辺（図８の例では上辺）に接するように有効画像領域３０内で、歪み補正画像の位置にオフセットを施す（図８（ｆ）−１）。
【００７０】
なお、歪み補正画像の位置は、オフセットに限らず、４点指定型の歪み補正を用いても良い。
【００７１】
以上説明したように、本実施例２の液晶プロジェクタ１００によれば、画像処理部１４０はＣＰＵ１１０からマルチ設定情報を受けることで液晶素子１５１の歪み補正後の補正画像の描画位置を考慮している。これにより、マルチ投影時、歪み補正を施した状態でそれぞれの液晶プロジェクタが投影する投影像の端同士を合わせた場合であっても、投影光の重畳領域はなく、投影面における輝度差も発生しない。
【符号の説明】
【００７２】
１００  液晶プロジェクタ、１０１  液晶プロジェクタ１００の投影領域、
１１０  ＣＰＵ、１１１  ＲＯＭ、１１２  ＲＡＭ、１１３  操作部、
１４０  画像処理部、１５０  液晶制御部、１５１  液晶素子Ｒ，Ｇ，Ｂ、
１５２  位相制御部、１５３  パネル描画開始信号生成部、１５４  液晶駆動部、
１５５  垂直同期信号生成部、１９３  通信部
【図１】
2016191756.tif 000003
【図５】
2016191756.tif 000004
【図２】
2016191756.tif 000005
【図３】
2016191756.tif 000006
【図４】
2016191756.tif 000007
【図６】
2016191756.tif 000008
【図７】
2016191756.tif 000009
【図８】
2016191756.tif 000010
【図９】
2016191756.tif 000011
【図１０】
2016191756.tif 000012
【図１１】
2016191756.tif 000013